(57)【要約】【課題】この発明は、住宅の開口部を開閉自在とする開閉部材が閉められたか否か、若しくは該開閉部材の施錠部が施錠されたか否かを検知する防犯システムに関する。【解決手段】本発明の防犯システム１は、この防犯システム１は、電波を受信可能なアンテナ４と、該電波から電流を取出し可能な回路５を有する無線タグ６と、定常的に発信する電波によって前記無線タグ６を非接触状態で読取り可能なタグリーダ７と、前記電波を遮蔽可能な電波シールド材料から形成されると共に、前記開閉部材３が閉められた際に前記無線タグ６を遮蔽する遮蔽部材８ａと、前記タグリーダ７が前記無線タグ６を検出可能か否かに基づいて前記開閉部材３が閉められたか否かを判断する制御手段９と、前記制御手段９の判断結果を表示するための表示手段１０と、を具備している。【選択図】図１
2010059604.tif 000002
【特許請求の範囲】
【請求項１】
住宅の開口部に取付けられた開閉部材が閉められたか否かを検知する防犯システムにおいて、
タグリーダから定常的に発信される電波をアンテナによって受信し、該電波から電流を取出し可能な回路を有する無線タグと、
前記発信した電波によって前記無線タグを非接触状態で検出可能な前記タグリーダと、
前記開閉部材が閉められた際に前記無線タグを遮蔽する電波シールド材料から形成されて成る遮蔽部材と、
前記タグリーダが前記無線タグを検出したか否かに基づいて前記開閉部材が閉められたか否かを判断する制御手段と、
前記制御手段の判断結果を表示するための表示手段と、を具備することを特徴とする防犯システム。
【請求項２】
住宅の開口部に取付けられた開閉部材が閉められたか否かを検知する防犯システムにおいて、
タグリーダから定常的に発信される電波をアンテナによって受信し、該電波から電流を取出し可能な回路を有する無線タグと、
前記発信した電波によって前記無線タグを非接触状態で検出可能な前記タグリーダと、
前記開閉部材が開けられた際に前記無線タグを遮蔽する電波シールド材料から形成されて成る遮蔽部材と、
前記タグリーダが前記無線タグを検出したか否かに基づいて前記開閉部材が閉められたか否かを判断する制御手段と、
前記制御手段の判断結果を表示するための表示手段と、を具備することを特徴とする防犯システム。
【請求項３】
住宅の開口部に取付けられた開閉部材を施錠可能な施錠部が施錠されたか否かを検知する防犯システムにおいて、
タグリーダから定常的に発信される電波をアンテナによって受信し、該電波から電流を取出し可能な回路を有する無線タグと、
前記発信した電波によって前記無線タグを非接触状態で検出可能な前記タグリーダと、
前記施錠部が施錠された際に前記無線タグを遮蔽する電波シールド材料から形成されて成る遮蔽部材と、
前記タグリーダが前記無線タグを検出したか否かに基づいて前記施錠部が施錠されたか否かを判断する制御手段と、
前記制御手段の判断結果を表示するための表示手段と、を具備することを特徴とする防犯システム。
【請求項４】
住宅の開口部に取付けられた開閉部材を施錠可能な施錠部が施錠されたか否かを検知する防犯システムにおいて、
タグリーダから定常的に発信される電波をアンテナによって受信し、該電波から電流を取出し可能な回路を有する無線タグと、
前記発信した電波によって前記無線タグを非接触状態で検出可能な前記タグリーダと、
前記施錠部が開錠された際に前記無線タグを遮蔽する電波シールド材料から形成されて成る遮蔽部材と、
前記タグリーダが前記無線タグを検出したか否かに基づいて前記施錠部が施錠されたか否かを判断する制御手段と、
前記制御手段の判断結果を表示するための表示手段と、を具備することを特徴とする防犯システム。
【発明の詳細な説明】
【技術分野】
【０００１】
この発明は、住宅の開口部を開閉自在とする開閉部材が閉められたか否か、若しくは該開閉部材の施錠部が施錠されたか否かを検知する防犯システムに関する。
【背景技術】
【０００２】
従来、戸建住宅において、泥棒等の侵入者を未然に防止するために、窓や玄関等に防犯性の高い２重ロックや鎌錠等の施錠機構が用いられている。しかし、戸建住宅における泥棒の侵入方法の約４０％は無施錠の窓や玄関等からであり、たとえ防犯性の高い施錠機構が用いられたとしても、これらを施錠し忘れた際には効果がないことは明らかである。
【０００３】
また、戸建住宅に泥棒等が侵入する際には、当該住宅の住人が在宅している時にも多く発生し、住人等が夜間就寝中に侵入し現金等を盗む忍込みと、住人等が在宅し、風呂、食事等の隙に侵入し現金等を盗む居空きと、を合わせると、住宅の泥棒被害の約４０％を占めている。そのため、泥棒と住人とが出会う場合もあり、その際には住人が泥棒に危害を加えられるという問題も生じている。
【０００４】
そのため、窓にマグネットセンサを取付け、該窓が開けられた際に警報音を発するような防犯器具が盛んに使用されている（例えば、非特許文献１）。
【０００５】
【非特許文献１】https://biz.national.jp/Ebox/o_sisetu/e-bohan/html/win_m.html
【発明の開示】
【発明が解決しようとする課題】
【０００６】
しかし、前述のようなマグネットセンサは、これを駆動するために電源を必要とすることから、センサ内部には駆動源として電池等が使用されており、定期的に電池を交換する手間が生じると共に、電池が切れていることに気付かず使用している場合には、泥棒が窓や玄関から侵入した際も、マグネットセンサが警報音を発さず、住人が気付かないという問題が生じる。
【０００７】
この発明は上記のような種々の課題を解決することを目的としてなされたものであって、住宅の開口部を開閉自在とする開閉部材が閉められたか否か、若しくは施錠部が施錠されたか否かを確実に検知することができる防犯システムに関する。
【課題を解決するための手段】
【０００８】
上記目的を達成するために、請求項１記載の防犯システムは、住宅の開口部に取付けられた開閉部材が閉められたか否かを検知する防犯システムにおいて、タグリーダから定常的に発信される電波をアンテナによって受信し、該電波から電流を取出し可能な回路を有する無線タグと、前記発信した電波によって前記無線タグを非接触状態で検出可能な前記タグリーダと、前記開閉部材が閉められた際に前記無線タグを遮蔽する電波シールド材料から形成されて成る遮蔽部材と、前記タグリーダが前記無線タグを検出したか否かに基づいて前記開閉部材が閉められたか否かを判断する制御手段と、前記制御手段の判断結果を表示するための表示手段と、を具備することを特徴としている。
【０００９】
請求項２記載の防犯システムは、住宅の開口部に取付けられた開閉部材が閉められたか否かを検知する防犯システムにおいて、タグリーダから定常的に発信される電波をアンテナによって受信し、該電波から電流を取出し可能な回路を有する無線タグと、前記発信した電波によって前記無線タグを非接触状態で検出可能な前記タグリーダと、前記開閉部材が開けられた際に前記無線タグを遮蔽する電波シールド材料から形成されて成る遮蔽部材と、前記タグリーダが前記無線タグを検出したか否かに基づいて前記開閉部材が閉められたか否かを判断する制御手段と、前記制御手段の判断結果を表示するための表示手段と、を具備することを特徴としている。
【００１０】
請求項３記載の防犯システムは、住宅の開口部に取付けられた開閉部材を施錠可能な施錠部が施錠されたか否かを検知する防犯システムにおいて、タグリーダから定常的に発信される電波をアンテナによって受信し、該電波から電流を取出し可能な回路を有する無線タグと、前記発信した電波によって前記無線タグを非接触状態で検出可能な前記タグリーダと、前記施錠部が施錠された際に前記無線タグを遮蔽する電波シールド材料から形成されて成る遮蔽部材と、前記タグリーダが前記無線タグを検出したか否かに基づいて前記施錠部が施錠されたか否かを判断する制御手段と、前記制御手段の判断結果を表示するための表示手段と、を具備することを特徴としている。
【００１１】
請求項４記載の防犯システムは、住宅の開口部に取付けられた開閉部材を施錠可能な施錠部が施錠されたか否かを検知する防犯システムにおいて、タグリーダから定常的に発信される電波をアンテナによって受信し、該電波から電流を取出し可能な回路を有する無線タグと、前記発信した電波によって前記無線タグを非接触状態で検出可能な前記タグリーダと、前記施錠部が開錠された際に前記無線タグを遮蔽する電波シールド材料から形成されて成る遮蔽部材と、前記タグリーダが前記無線タグを検出したか否かに基づいて前記施錠部が施錠されたか否かを判断する制御手段と、前記制御手段の判断結果を表示するための表示手段と、を具備することを特徴としている。
【発明の効果】
【００１２】
請求項１記載の防犯システムによれば、タグリーダから定常的に発信される電波をアンテナによって受信し、該電波から電流を取出し可能な回路を有する無線タグと、前記発信した電波によって前記無線タグを非接触状態で検出可能な前記タグリーダと、前記開閉部材が閉められた際に前記無線タグを遮蔽する電波シールド材料から形成されて成る遮蔽部材と、前記タグリーダが前記無線タグを検出したか否かに基づいて前記開閉部材が閉められたか否かを判断する制御手段と、前記制御手段の判断結果を表示するための表示手段と、を具備している。これにより、泥棒等の侵入者が窓や扉等の開閉部材を開けた場合には、住宅内部に設置されたタグリーダが遮蔽部材から露出された無線タグを、当該タグリーダから発信される電波によって検出することによって、該開閉部材が開けられた状態であると制御手段が判断し、表示手段に表示された情報を基に住人等がこれを知ることができる。
【００１３】
また、住人等が開閉部材を開けた状態のまま外出しようとした場合も、無線タグは遮蔽部材から露出された状態であるので、タグリーダはこれを検知し該開閉部材が開けられた状態であると制御手段が判断し、表示手段に表示された情報を基に住人等がこれを知ることができる。そして、開閉部材が閉められている状態では、無線タグは遮蔽部材に遮蔽されているので、タグリーダが発信する電波が該遮蔽部材に遮蔽され該タグリーダは当該無線タグを検知することができず、該開閉部材が閉められた状態であると制御手段が判断し、表示手段に表示された情報を基に住人等がこれを知ることができ、外出時の戸締りの確認を容易に行うことができる。
【００１４】
さらに、無線タグはタグリーダから定常的に発信される電波を受信可能なアンテナと、該電波から電流を取出し可能な回路を有しているので、無線タグ自体には電源を必要とせず、タグリーダが住宅内から電源が供給されていればよく、無線タグの電池切れによって開閉部材が閉められたか否かを検知できないということがない。また、無線タグ自体は小型に形成することが容易であるので、当該無線タグが取付けられた部材の外観を損なうことがないという利点がある。
【００１５】
請求項２記載の防犯システムによれば、タグリーダから定常的に発信される電波をアンテナによって受信し、該電波から電流を取出し可能な回路を有する無線タグと、前記発信した電波によって前記無線タグを非接触状態で検出可能な前記タグリーダと、前記開閉部材が開けられた際に前記無線タグを遮蔽する電波シールド材料から形成されて成る遮蔽部材と、前記タグリーダが前記無線タグを検出したか否かに基づいて前記開閉部材が閉められたか否かを判断する制御手段と、前記制御手段の判断結果を表示するための表示手段と、を具備している。これにより、泥棒等の侵入者が窓や扉等の開閉部材を開けた場合には、無線タグは遮蔽部材に遮蔽されているのでタグリーダが発信する電波が該遮蔽部材に遮蔽され該タグリーダは当該無線タグを検知することができず、該開閉部材が開けられた状態であると制御手段が判断し、表示手段に表示された情報を基に住人等がこれを知ることができる。
【００１６】
また、住人等が開閉部材を開けた状態のまま外出しようとした場合も、無線タグは遮蔽部材に遮蔽された状態であるので、タグリーダはこれを検知することができず、該開閉部材が開けられた状態であると制御手段が判断し、表示手段に表示された情報を基に住人等がこれを知ることができる。そして、開閉部材が閉められている状態では、無線タグは遮蔽部材から露出された状態であるので、該無線タグをタグリーダから発信される電波によってこれを検知し該開閉部材が閉められた状態であると制御手段が判断し、表示手段に表示された情報を基に住人等がこれを知ることができる。
【００１７】
さらに、無線タグはタグリーダから定常的に発信される電波を受信可能なアンテナと、該電波から電流を取出し可能な回路を有しているので、無線タグ自体には電源を必要とせず、タグリーダが住宅内から電源が供給されていればよく、無線タグの電池切れによって開閉部材が閉められたか否かを検知できないということがない。また、無線タグ自体は小型に形成することが容易であるので、当該無線タグが取付けられた部材の外観を損なうことがないという利点がある。
【００１８】
請求項３記載の防犯システムによれば、タグリーダから定常的に発信される電波をアンテナによって受信し、該電波から電流を取出し可能な回路を有する無線タグと、前記発信した電波によって前記無線タグを非接触状態で検出可能な前記タグリーダと、前記施錠部が施錠された際に前記無線タグを遮蔽する電波シールド材料から形成されて成る遮蔽部材と、前記タグリーダが前記無線タグを検出したか否かに基づいて前記施錠部が施錠されたか否かを判断する制御手段と、前記制御手段の判断結果を表示するための表示手段と、を具備している。これにより、泥棒等の侵入者が窓や扉等の開閉部材の施錠部を開錠した場合には、住宅内部に設置されたタグリーダが遮蔽部材から露出された無線タグを、当該タグリーダから発信される電波によって検出することによって、該施錠部が開錠された状態であると制御手段が判断し、表示手段に表示された情報を基に住人等がこれを知ることができる。
【００１９】
また、住人等が施錠部を開錠した状態のまま外出しようとした場合も、無線タグは遮蔽部材から露出された状態であるので、タグリーダはこれを検知し該施錠部が開錠された状態であると制御手段が判断し、表示手段に表示された情報を基に住人等がこれを知ることができる。そして、施錠部が施錠されている状態では、無線タグは遮蔽部材に遮蔽されているのでタグリーダが発信する電波が該遮蔽部材に遮蔽され該タグリーダは当該無線タグを検知することができず、該施錠部が施錠された状態であると制御手段が判断し、表示手段に表示された情報を基に住人等がこれを知ることができ、外出時の戸締りの確認を容易に行うことができる。
【００２０】
さらに、無線タグはタグリーダから定常的に発信される電波を受信可能なアンテナと、該電波から電流を取出し可能な回路を有しているので、無線タグ自体には電源を必要とせず、タグリーダが住宅内から電源が供給されていればよく、無線タグの電池切れによって施錠部が施錠されたか否かを検知できないということがない。また、無線タグ自体は小型に形成することが容易であるので、当該無線タグが取付けられた部材の外観を損なうことがないという利点がある。
【００２１】
請求項４記載の防犯システムによれば、タグリーダから定常的に発信される電波をアンテナによって受信し、該電波から電流を取出し可能な回路を有する無線タグと、前記発信した電波によって前記無線タグを非接触状態で検出可能な前記タグリーダと、前記施錠部が開錠された際に前記無線タグを遮蔽する電波シールド材料から形成されて成る遮蔽部材と、前記タグリーダが前記無線タグを検出したか否かに基づいて前記施錠部が施錠されたか否かを判断する制御手段と、前記制御手段の判断結果を表示するための表示手段と、を具備している。これにより、泥棒等の侵入者が窓や扉等の施錠部を開錠した場合には、無線タグは遮蔽部材に遮蔽されているのでタグリーダが発信する電波が該遮蔽部材に遮蔽され該タグリーダは当該施無線タグを検知することができず、該施錠部が開錠された状態であると制御手段が判断し、表示手段に表示された情報を基に住人等がこれを知ることができる。
【００２２】
また、住人等が施錠部を開錠した状態のまま外出しようとした場合も、無線タグは遮蔽部材に遮蔽された状態であるので、タグリーダはこれを検知することができず、該施錠部が開錠された状態であると制御手段が判断し、表示手段に表示された情報を基に住人等がこれを知ることができる。そして、施錠部が施錠されている状態では、無線タグは遮蔽部材から露出された状態であるので、該無線タグをタグリーダから発信される電波によってこれを検出し該施錠部が施錠された状態であると制御手段が判断し、表示手段に表示された情報を基に住人等がこれを知ることができる。
【００２３】
さらに、無線タグはタグリーダから定常的に発信される電波を受信可能なアンテナと、該電波から電流を取出し可能な回路を有しているので、無線タグ自体には電源を必要とせず、タグリーダが住宅内から電源が供給されていればよく、無線タグの電池切れによって施錠部が施錠されたか否かを検知できないということがない。また、無線タグ自体は小型に形成することが容易であるので、当該無線タグが取付けられた部材の外観を損なうことがないという利点がある。
【発明を実施するための最良の形態】
【００２４】
この発明における防犯システムの最良の実施形態について、以下に説明する。本発明の第１の実施形態に係る防犯システム１ａは、図１、図２に示すように、住宅の開口部２を開閉自在となるように該開口部２に取付けられた開閉部材３としての窓３１が閉められたか否かを検知するものである。この防犯システム１ａは、図１に示すように、電波を受信可能なアンテナ４と、該電波から電流を取出し可能な回路５を有する無線タグ６と、定常的に発信する電波によって前記無線タグ６を非接触状態で検出可能なタグリーダ７と、前記電波を遮蔽可能な電波シールド材料から形成されると共に、前記開閉部材３が閉められた際に前記無線タグ６を遮蔽する遮蔽部材８ａと、前記タグリーダ７が前記無線タグ６を検出したか否かに基づいて前記開閉部材３が閉められたか否かを判断する制御手段９と、前記制御手段９の判断結果を表示するための表示手段１０と、を具備している。
【００２５】
本実施形態において前記開閉部材３は、図２に示すように、住宅の開口部２に設けられたアルミ製の枠体１１の下枠部１１ａに形成されたレール（不図示）上を、ガラスの周囲を窓枠３１ａで保持して形成されて成る窓３１がスライド自在に取付けられた、例えば引き違い窓である。しかし、開閉部材３としては、その他にも当該引き違い窓と共に枠体１１に設けられる網戸を始め、片開き窓、引き戸等とすることができるのは勿論である。
【００２６】
そして、図２に示すように、窓３１を閉めた際に枠体１１の下方角部に近接する窓枠３１ａの下方角部には無線タグ６が取付けられている。この無線タグ６は、図１に示すように、電波を受信可能なアンテナ４と、該電波から電流を取出し可能な回路５を有することにより、それ自身に電源を有さずタグリーダ７から発信される電波によって検出可能な既知のパッシブ型の無線タグ６である。そのため、図１（ａ）に示すように、無線タグ６は従来の鉱石ラジオと同様に電波から電流を取出し、この電流を基に当該無線タグ６は電波を発信し、当該電波をタグリーダ７が受信することにより当該タグリーダ７は該無線タグ６を検出する。尚、無線タグ６の構成は後述の実施形態においても同様である。
【００２７】
前記タグリーダ７は、例えば３００〜３０００ＭＨｚのＵＨＦ帯の波長の電波を定常的に発信して無線タグ６を検出する既知の遠距離型のものを好適に使用することができ、図１１に示すように住宅内の壁１２等に設置される。また、タグリーダ７は家庭内のコンセント等から電源が供給されると共に、電力線を通信回線として使用する電力線搬送通信を用いており、該タグリーダ７は、図１１に示すように、リビングや玄関等に設けられ、制御手段９と液晶ディスプレイ等の表示手段１０とを有するコントローラ１３とネットワークを構成している。また、タグリーダから発信される電波は連続的に発信されていてもよいが、例えば１５秒毎、３０秒毎、１分毎等所定の間隔で発信されていてもよく、この間隔も変更することが可能である。尚、タグリーダ７、及びコントローラ１３の構成や配置等は後述の実施形態においても同様であるが、その他の配置とすることができるのは勿論である。
【００２８】
そのため、住宅内の開閉部材３に取付けられる無線タグ６に、住宅内におけるどの開閉部材３であるかという識別情報を予め付与しておくことで、開けられた開閉部材３が住宅内のどの開閉部材３であるかを制御手段９が判断して、住人がこれを玄関等に設置されたコントローラ１３の表示手段１０で容易に確認することができる。
【００２９】
遮蔽部材８ａは、図２に示すように、窓３１が閉められた際に、窓枠３１ａに取付けられた無線タグ６を被う程度の高さとなるように枠体１１の下枠部１１ａの両端部に設けられている。そのため、遮蔽部材８ａは開閉部材１１が閉じられている際には無線タグ６を遮蔽し、該開閉部材１１が開けられている際には無線タグ６を露出する。この遮蔽部材８としては、アルミニウムや銅等の導体や、フェライト等の磁性体を合成樹脂と混錬したタグリーダ７からの電波を遮蔽可能な周知の電波シールド材料を適宜選択して使用することができる。
【００３０】
そして、前記制御手段９は、無線タグ６が遮蔽されタグリーダ７が無線タグ６を検出したか否かに基づいて前記開閉部材３が閉められたか否かを判断する。すなわち、図２に示すように、窓３１が開けられた状態では、無線タグ６は遮蔽部材８ａから露出されるので、タグリーダ７から定常的に発信される電波によって該無線タグ６が検出され、この結果に基づいて制御手段９が当該窓３１が開いていると判断し、これをコントローラ１３の表示手段１０に表示する。一方、窓３１が閉められた状態では、無線タグ６は遮蔽部材８ａに遮蔽されるので、タグリーダ７から定常的に発信される電波によって該無線タグ６は検出されず、この結果に基づいて制御手段９が当該窓３１が閉まっていると判断し、これをコントローラ１３の表示手段１０に表示する。
【００３１】
本発明の第２の実施形態に係る防犯システム１ｂは、図１、図３に示すように、枠体１１の下枠部１１ａに、その両端部が切欠かれてなる露出部１４を有するように該下枠部１１ａに亘って遮蔽部材８ｂが形成され、窓３１を閉めた際に該露出部１４から無線タグ６が露出されること以外は、第１の実施形態に係る防犯システム１ａと同様である。そのため、図３に示すように、窓３１が閉められた状態では、無線タグ６は遮蔽部材８ｂから露出されるので、タグリーダ７から定常的に発信される電波によって該無線タグ６が検出され、この結果に基づいて制御手段９が当該窓３１が開いていると判断し、これをコントローラ１３の表示手段１０に表示する。一方、窓３１が開けられた状態では、無線タグ６は遮蔽部材８ｂに遮蔽されるので、タグリーダ７から定常的に発信される電波によって該無線タグ６は検出されず、この結果に基づいて制御手段９が当該窓３１が閉まっていると判断し、これをコントローラ１３の表示手段１０に表示する。
【００３２】
第３の実施形態に係る防犯システム１ｃは、図１、図４に示すように、住宅の開口部２を開閉自在とする開閉部材３としての窓３１に設けられた係合部材１５と該係合部材１５と係合可能な非係合部材１６とから形成されて成る施錠部１７ａが施錠されたか否かを検知するものである。この防犯システムは、図１、図４に示すように、電波を受信可能なアンテナ４と、該電波から電流を取出し可能な回路５を有する無線タグ６と、定常的に発信する電波によって前記無線タグ６を非接触状態で検出可能なタグリーダ７と、前記電波を遮蔽可能な電波シールド材料から形成されると共に、前記施錠部１７ａが施錠された際に前記無線タグ６を遮蔽する遮蔽部材８ｂと、前記タグリーダ７が前記無線タグ６を検出したか否かに基づいて前記施錠部１７ａが施錠されたか否かを判断する制御手段９と、前記制御手段９の判断結果を表示するための表示手段１０と、を具備している。
【００３３】
前記施錠部１７ａとしては、図４に示すように、窓３１の屋外側の窓３１ｂに取付けられた鉤状の係合部材１５と、該窓３１の屋内側の窓３１ｃに軸部１８を中心として回転自在に取付けられた略楕円形の平板部１９に設けられた把手２０と前記係合部材１５に係合される円弧状の被係合部１６ａとを具備する被係合部材１６と、から形成される例えばクレセント錠である。尚、施錠部１７ａとしては、本発明のようなクレセント錠を始め、閂やフランス落しであってもよいのは勿論である。
【００３４】
そして、図４、図５に示すように、被係合部材１６における円弧状の被係合部１６ａの内側に無線タグ６が取付けられ、これを係合する係合部材１５自体が既述の電波シールド材料から形成されており遮蔽部材８ｃとなっている。また、無線タグ６は、図５（ｂ）に示すように、係合部材１５に係合された際に当該無線タグ６が遮蔽部材８ｃである当該係合部材１５に遮蔽される位置に取付けられている。
【００３５】
そのため、図５（ａ）に示すように、施錠部１７ａが開錠されている状態では、無線タグ６は遮蔽部材８ｃから露出されるので、既述のようにタグリーダ７から定常的に発信される電波によって該無線タグ６が検出され、この結果に基づいて制御手段９が当該施錠部１７ａが開錠されていると判断し、これをコントローラ１３の表示手段１０に表示する。一方、図５（ｂ）に示すように、施錠部１７ａの被係合部材１６を軸部１８を中心に回転させ被係合部１６ａを遮蔽部材８ｃである係合部材１５に係合させ当該施錠部１７ａが施錠されている状態では、無線タグ６は該遮蔽部材８ｃに遮蔽されるので、既述のようにタグリーダ７から定常的に発信される電波によって該無線タグ６は検出されず、この結果に基づいて制御手段９が当該施錠部１７ａが施錠されていると判断し、これをコントローラ１３の表示手段１０に表示する。
【００３６】
本発明の第４の実施形態に係る防犯システム１ｄは、図１、図６、図７に示すように、施錠部１７ａの円柱形に形成された軸部１８の上面１８ａの上半分に無線タグ６が取付けられ、被係合部材１６の平板部１９において、図７（ａ）に示すように、当該施錠部１７ａを開錠した状態で軸部１８の上半分側を被う半円柱状の遮蔽部材８ｄが設けられたこと以外は、第３の実施形態に係る防犯システム１ｃと同様である。
【００３７】
そのため、図７（ｂ）に示すように、施錠部１７ａが施錠された状態では、無線タグ６は遮蔽部材８ｄから露出されるので、タグリーダ７から定常的に発信される電波によって該無線タグ６が検出され、この結果に基づいて制御手段９が当該施錠部１７ａが施錠されていると判断し、これをコントローラ１３の表示手段１０に表示する。一方、図７（ａ）に示すように、施錠部１７ａが開錠された状態では、無線タグ６は遮蔽部材８ｄに遮蔽されるので、タグリーダ７から定常的に発信される電波によって該無線タグ６は検出されず、この結果に基づいて制御手段９が当該施錠部１７ａが開錠されていると判断し、これをコントローラ１３の表示手段１０に表示する。
【００３８】
本発明の第５の実施形態に係る防犯システム１ｅは、図１、図８に示すように、住宅の開口部２に設けられた枠体２１に当該開口部２を開閉自在に設けられた開閉部材３としての片開き戸３２が閉じられたか否か、及び該片開き戸３２に設けられた施錠部１７ｂが施錠されたか否かを検知するものである。そして、施錠部１７ｂは、図８、図１０に示すように、枠体２１の側面に設けられた凹部２２ａと、片開き戸３２内部に収納され、該片開き戸３２の表面に設けられたシリンダー２３に鍵を挿入して回転することで該片開き戸３２の側端面から突出して該凹部２２に係合可能な四角柱状のデッドボルト２４と、から形成されている。そして、施錠部１７ｂには、仮施錠部１７１が設けられており、該仮施錠部１７１は、図８、図９に示すように、凹部２２ａの下方にこれと同様にして形成された凹部２２ｂと、片開き戸３２の表面に設けられたドアノブ２５を回転することで該片開き戸３２内部に収納可能で、且つ該片開き戸３２の側端面から付勢され突出して該凹部２２ｂに係合可能となるようにその先端部が三角柱状に形成されたラッチボルト２６と、から形成されている。
【００３９】
そして、防犯システム１ｅは、図１、図９、図１０に示すように、デッドボルト２４、及びラッチボルト２６の上面に取付けられた無線タグ６と、定常的に発信する電波によって前記無線タグ６を非接触状態で検出可能なタグリーダ７と、前記タグリーダ７の電波を遮蔽可能な部材から形成されると共に、前記デッドボルト２４が凹部２２ａに係合され施錠される際に当該デッドボルト２４の無線タグ６を被い、前記ラッチボルト２６が該凹部２２ｂに係合され片開き戸が閉められる際に当該ラッチボルト２６の無線タグ６を被う遮蔽部材８ｅを具備している。そしてさらに、前記タグリーダ７の電波により前記無線タグ６を検出したか否かに基づいて、前記デッドボルト２４が凹部２２ａに係合され施錠部１７ｂが施錠されているか否か、及びラッチボルト２６が凹部２２ｂに係合され片開き戸３２が閉められているか否かを判断する制御手段９を具備している。
【００４０】
そして、この実施形態においては、枠体２１に形成された凹部２２には、該凹部２２の内側を被うようにして形成された既述の電波シールド材料から形成されてなる遮蔽部材８ｅとしてのトロヨケが設けられている。そのため、図９（ａ）に示すように、片開き戸３２が閉められる際には、ラッチボルト２６は枠体２１と接触し付勢力に抗して当該ラッチボルト２６は該片開き戸３２側に一旦引込んだ後、図９（ｂ）に示すように、該ラッチボルト２６は付勢力に応じて片開き戸３２から突出して枠体２１の遮蔽部材８ｅに係合される。
【００４１】
また、図９（ａ）に示すように、片開き戸３２が開けられた状態では、無線タグ６は凹部２２ｂに設けられた遮蔽部材８ｅから露出されるので、タグリーダ７から定常的に発信される電波によって該無線タグ６が検出され、この結果に基づいて制御手段９が当該片開き戸３２が開いていると判断し、これをコントローラ１３の表示手段１０に表示する。一方、図９（ｂ）に示すように、片開き戸３２が閉められた状態では、無線タグ６は遮蔽部材８ｅに遮蔽されるので、タグリーダ７から定常的に発信される電波によって該無線タグ６は検出されず、この結果に基づいて制御手段９が当該片開き戸３２が閉まっていると判断し、これをコントローラ１３の表示手段１０に表示する。
【００４２】
また、片開き戸３２が閉められ、図８に示すシリンダー２３に鍵が差込まれ回転され施錠部１７ｂが施錠されることにより、図１０（ａ）に示すように、片開き戸３２内部に収納されたデッドボルト２４が、図１０（ｂ）に示すように、当該片開き戸３２から突出して遮蔽部材８ｅに係合される。そのため、図１０（ｂ）に示すように、デッドボルト２４が凹部２２ａに設けられた遮蔽部材８ｅに係合され施錠部１７ｂが施錠されている状態では、無線タグ６は遮蔽部材８ｅに遮蔽されるので、タグリーダ７から定常的に発信される電波によって、該無線タグは検出されず、この結果に基づいて制御手段９が当該施錠部１７ｂが施錠されていると判断し、これをコントローラ１３の表示手段１０に表示する。
【００４３】
一方、図１０（ａ）に示すように、デッドボルト２４が片開き戸３２に収納され施錠部１７ｂが開錠されている状態では、無線タグ６は遮蔽部材８ｅから露出されるので、タグリーダ７から定常的に発信される電波によって該無線タグ６が検出され、この結果に基づいて制御手段９が当該施錠部１７ｂが施錠されていると判断し、これをコントローラ１３の表示手段１０に表示する。
【００４４】
尚、既述のような第１乃至第５の実施形態に係る防犯システムは、１つの住宅において、それぞれ組合わせて使用することができるのは勿論である。また、開閉部材３としては、既述の実施形態のものに限定されず、網戸や片開き窓等であってもよく、さらに、該開閉部材３を施錠するための施錠部１７もクレセント錠やラッチ錠を始め、その他にも閂やフランス落し等であってもよい。そして、コントローラ１３は、開閉部材３が閉められているか否か、及び施錠部１７が施錠されているか否かを表示するだけでなく、アラーム等の音や、音声等によって住人に知らせてもよいのは勿論である。
【００４５】
以上のように、第１、及び第２の実施形態では窓枠３１ａ、第３の実施形態では被係合部１６ａ、第４の実施形態では軸部１８、第５の実施形態ではデッドボルト２４、及びラッチボルト２６等の無線タグ６が取付けられた部材を、遮蔽部材８によって遮蔽、若しくは、露出することによって、タグリーダ７によって検出したか否かにより、窓等の開閉部材３が閉められたか否か、又は、該施錠部１７が施錠されたか否かを制御手段９が判断することができる。
【００４６】
このような防犯システム１を用いることにより、住宅の開口部２を開閉自在とする開閉部材３が閉められたか否か、若しくは施錠部１７が施錠されたか否かを確実に検知することができる。
【産業上の利用可能性】
【００４７】
本発明に係る防犯方法は、住宅だけでなくマンションや商業施設等でも使用することができるのは勿論である。
【図面の簡単な説明】
【００４８】
【図１】防犯システムの概略図
【図２】第１の実施形態に係る防犯システムの使用例を示す図
【図３】第２の実施形態に係る防犯システムの使用例を示す図
【図４】第３の実施形態に係る防犯システムの使用例を示す斜視図
【図５】第３の実施形態に係る防犯システムの使用例を示す側面図
【図６】第４の実施形態に係る防犯システムの使用例を示す斜視図
【図７】第４の実施形態に係る防犯システムの使用例を示す側面図
【図８】第５の実施形態に係る防犯システムの使用例を示す全体図
【図９】第５の実施形態に係る防犯システムの仮施錠部を示す図
【図１０】第５の実施形態に係る防犯システムの施錠部を示す図
【図１１】防犯システムの取付け例を示す図
【符号の説明】
【００４９】
１（１ａ〜１ｅ）  防犯システム
２          開口部
３          開閉部材
３１（３）  窓
３２（３）  片開き戸
４          アンテナ
５          回路
６          無線タグ
７          タグリーダ
８（８ａ〜８ｅ）  遮蔽部材
９          制御手段
１０        表示手段
１７        施錠部
【図１】
2010059604.tif 000003
【図２】
2010059604.tif 000004
【図３】
2010059604.tif 000005
【図４】
2010059604.tif 000006
【図５】
2010059604.tif 000007
【図６】
2010059604.tif 000008
【図７】
2010059604.tif 000009
【図８】
2010059604.tif 000010
【図９】
2010059604.tif 000011
【図１０】
2010059604.tif 000012
【図１１】
2010059604.tif 000013